(57)【要約】      （修正有）【課題】デジタル角度表示が可能なスライド式カッターを提供する。【解決手段】テーブル３００に回動自在に取り付けられ、駆動回転するカッティングブレード４０１が装着されたカッティングボディ４００と、被切断物がのせられ、カッティングブレード案内溝５０１を有する案内ベース５００と、テーブルの一側に備えられ、カッティングボディの回動によるカッティングブレードのベベル角を表示する第１表示ユニット１００と、テーブルの一側に備えられ、案内ベースの回動による案内ベースのマイター角を表示する第２表示ユニット２００と、テーブルにそれぞれ回動しながら収納及び引出可能に設けられ、第２表示ユニットに接続され、案内ベースによって表示されるマイター角の測定範囲を外れる、さらに大きな測定範囲の追加マイター角を第２表示ユニットを介して表示されるようにする追加マイター角ユニット６００とを含む。各表示ユニットはデジタル表示される。【選択図】図１
2017192996.tif 000002
【特許請求の範囲】
【請求項１】
テーブルと；
前記テーブルに回動自在に取り付けられ、駆動力の伝達を受けて回転するカッティングブレードが装着されたカッティングボディと；
前記テーブルに回動自在に取り付けられ、前記カッティングブレードによって切削される被切断物がのせられる面積を提供し、前記カッティングブレードが収容されるブレード案内溝を有する案内ベースと；
前記テーブルの一側に備えられ、前記カッティングボディの回動による前記カッティングブレードのベベル角（ｂｅｖｅｌ  ａｎｇｌｅ）を表示する第１表示ユニットと；
前記テーブルの一側に備えられ、前記案内ベースの回動による前記案内ベースのマイター角（ｍｉｔｅｒ  ａｎｇｌｅ）を表示する第２表示ユニットと；
前記テーブルにそれぞれ回動しながら収納及び引出可能に設けられ、前記第２表示ユニットに接続され、前記案内ベースによって表示される前記マイター角の測定範囲を外れるさらに大きな測定範囲の追加マイター角を前記第２表示ユニットを介して表示されるようにする追加マイター角ユニットと；を含んでなることを特徴とする、デジタル角度表示が可能なスライド式カッター。
【請求項２】
前記テーブルの一側に備えられ、前記カッティングボディの回動に応じて前記テーブルに対して前記カッティングブレードの前記ベベル角が形成されるか、或いは前記案内ベースの回動に応じて前記テーブルに対して前記案内ベースの前記マイター角が形成されるように案内する基準隔壁をさらに含み、
前記カッティングボディの一側に備えられたボディ回動軸は前記基準隔壁の後方に配置され、
前記案内ベースの中心に備えられたベース回動軸は前記基準隔壁の下部に配置されることを特徴とする、請求項１に記載のデジタル角度表示が可能なスライド式カッター。
【請求項３】
前記第１表示ユニットは、
前記カッティングボディまたは前記テーブルの一側に備えられ、前記テーブルに対する前記カッティングボディの回動を許容するボディ回動軸に設けられて前記テーブルに対する前記カッティングボディの前記ベベル角をリアルタイムで測定する第１角度センサーと、
前記テーブルの一側に備えられ、前記第１角度センサーに電気的に接続されたコントローラによって、前記第１角度センサーで測定された前記ベベル角をリアルタイムで表示する第１ディスプレイパネルとを含んでなることを特徴とする、請求項１に記載のデジタル角度表示が可能なスライド式カッター。
【請求項４】
前記第２表示ユニットは、
前記テーブルの一側に備えられ、前記テーブルに対する前記案内ベースの回動を許容するベース回動軸に設けられて前記テーブルに対する前記案内ベースの前記マイター角をリアルタイムで測定する第２角度センサーと、
前記テーブルまたは前記案内ベースの一側に備えられ、前記第２角度センサーに電気的に接続されたコントローラによって、前記第２角度センサーで測定された前記マイター角をリアルタイムで表示する第２ディスプレイパネルとを含んでなることを特徴とする、請求項１に記載のデジタル角度表示が可能なスライド式カッター。
【請求項５】
前記追加マイター角ユニットは、
前記テーブルの一側に備えられ、前記カッティングボディの回動に応じて前記テーブルに対して前記カッティングブレードの前記ベベル角が形成されるか、或いは前記案内ベースの回動に応じて前記テーブルに対して前記案内ベースの前記マイター角が形成されるように案内する基準隔壁に一定の形状に形成された収納スロットと、
前記収納スロットに対応する形状に形成されて前記収納スロットの一側に対して回動自在に配置され、前記被切断物の一側縁が接触する基準面を提供する基準片と、
前記基準片の一端部の下側に備えられたメイン回動ブラケットに結合されて前記テーブルに対する前記基準片の回動を許容する基準片回動軸に設けられ、前記テーブルに対する前記基準片の回動による前記追加マイター角をリアルタイムで測定する第３角度センサーとを含んでなり、
前記第３角度センサーは、前記第２表示ユニットにコントローラを介して電気的に接続されることを特徴とする、請求項１に記載のデジタル角度表示が可能なスライド式カッター。
【発明の詳細な説明】
【技術分野】
【０００１】
本発明は、デジタル角度表示が可能なスライド式カッターに係り、さらに詳しくは、ベベル角とマイター角を正確かつ迅速に把握することができるようにした、デジタル角度表示が可能なスライド式カッターに関する。
【背景技術】
【０００２】
一般に、スライド式角度切断機は、作業台に被切断物をのせた状態でブレードを高速で回転させて被切断物を一定の長さに切断するためのツールである。
【０００３】
金属切断機は、被切断物を固定および支持することが可能な作業台と、作業台にレバー軸で設置され、作業台に固定及び支持された被切断物を切断するためのブレードが備えられた切断ヘッドと、ブレードを高速で回転させるための駆動部とを含んでなる。
【０００４】
上述したような観点から発明されたものとして、韓国登録特許第１０−１２５３６５４号の「照明部を有するスライド式角度切断機」（以下、「先行技術」）などを挙げることができる。
【０００５】
先行技術は、暗所での作業の便宜のために照明部を備えたものである。
しかし、先行技術は、正確な角度測定が難しく、作業者が肉眼で把握した角度測定値が正確ではないため製作物の組立誤差が発生するなどの問題点があった。
【先行技術文献】
【特許文献】
【０００６】
【特許文献１】韓国登録特許第１０−１２５３６５４号公報
【発明の概要】
【発明が解決しようとする課題】
【０００７】
本発明は、上述したような問題点を改善するために発明されたもので、その目的は、ベベル角とマイター角を正確かつ迅速に把握することができるようにする、デジタル角度表示が可能なスライド式カッターを提供することにある。
【０００８】
本発明は、作業の利便性を提供することができるようにする、デジタル角度表示が可能なスライド式カッターを提供することにある。
【課題を解決するための手段】
【０００９】
上記目的を達成するために、本発明は、テーブルと；前記テーブルに回動自在に取り付けられ、駆動力の伝達を受けて回転するカッティングブレードが装着されたカッティングボディと；前記テーブルに回動自在に取り付けられ、前記カッティングブレードによって切削される被切断物がのせられる面積を提供し、前記カッティングブレードが収容されるブレード案内溝を有する案内ベースと；前記テーブルの一側に備えられ、前記カッティングボディの回動による前記カッティングブレードのベベル角（ｂｅｖｅｌ  ａｎｇｌｅ）を表示する第１表示ユニットと；前記テーブルの一側に備えられ、前記案内ベースの回動による前記案内ベースのマイター角（ｍｉｔｅｒ  ａｎｇｌｅ）を表示する第２表示ユニットと；前記テーブルにそれぞれ回動しながら収納及び引出可能に設けられ、前記第２表示ユニットに接続され、前記案内ベースによって表示される前記マイター角の測定範囲を外れるさらに大きな測定範囲の追加マイター角を前記第２表示ユニットを介して表示されるようにする追加マイター角ユニットと；を含んでなることを特徴とする、デジタル角度表示が可能なスライド式カッターを提供することができる。
【００１０】
ここで、前記テーブルの一側に備えられ、前記カッティングボディの回動に応じて前記テーブルに対して前記カッティングブレードの前記ベベル角が形成されるか、或いは前記案内ベースの回動に応じて前記テーブルに対して前記案内ベースの前記マイター角が形成されるように案内する基準隔壁をさらに含み、前記カッティングボディの一側に備えられたボディ回動軸は前記基準隔壁の後方に配置され、前記案内ベースの中心に備えられたベース回動軸は前記基準隔壁の下部に配置されることを特徴とする。
【００１１】
このとき、前記第１表示ユニットは、前記カッティングボディまたは前記テーブルの一側に備えられ、前記テーブルに対する前記カッティングボディの回動を許容するボディ回動軸に設けられて前記テーブルに対する前記カッティングボディの前記ベベル角をリアルタイムで測定する第１角度センサーと、前記テーブルの一側に備えられ、前記第１角度センサーと電気的に接続されたコントローラによって、前記第１角度センサーで測定された前記ベベル角をリアルタイムで表示する第１ディスプレイパネルとを含んでなることを特徴とする。
【００１２】
また、前記第２表示ユニットは、前記テーブルの一側に備えられ、前記テーブルに対する前記案内ベースの回動を許容するベース回動軸に設けられて前記テーブルに対する前記案内ベースの前記マイター角をリアルタイムで測定する第２角度センサーと、前記テーブルまたは前記案内ベースの一側に備えられ、前記第２角度センサーと電気的に接続されたコントローラによって、前記第２角度センサーで測定された前記マイター角をリアルタイムで表示する第２ディスプレイパネルとを含んでなることを特徴とする。
【００１３】
また、前記追加マイター角ユニットは、前記テーブルの一側に備えられ、前記カッティングボディの回動に応じて前記テーブルに対して前記カッティングブレードの前記ベベル角が形成されるか、或いは前記案内ベースの回動に応じて前記テーブルに対して前記案内ベースの前記マイター角が形成されるように案内する基準隔壁に一定の形状に形成された収納スロットと、前記収納スロットに対応する形状に形成されて前記収納スロットの一側に対して回動自在に配置され、前記被切断物の一側縁が接触する基準面を提供する基準片と、前記基準片の一端部の下側に備えられたメイン回動ブラケットに結合されて前記テーブルに対する前記基準片の回動を許容する基準片回動軸に設けられ、前記テーブルに対する前記基準片の回動による前記追加マイター角をリアルタイムで測定する第３角度センサーとを含んでなり、前記第３角度センサーは、前記第２表示ユニットにコントローラを介して電気的に接続されることを特徴とする。
【発明の効果】
【００１４】
上述したような構成の本発明によれば、次の効果を図ることができる。
【００１５】
まず、本発明は、カッティングブレードが装着されるカッティングボディがテーブルに回動可能であり、被切断物をのせることが可能な案内ベースがテーブルに回動自在に装着されるが、第１表示ユニットがカッティングブレードのベベル角を測定することができ、第２表示ユニットが案内ベースのマイター角を測定することができ、追加マイター角ユニットが前述のマイター角の測定範囲を外れる追加マイター角を測定することができるようにすることにより、ベベル角とマイター角を正確にかつ迅速に把握することができて作業の利便性を大幅に向上させることができる。
【００１６】
特に、本発明は、作業者が肉眼でベベル角及びマイター角を測定し把握する既存のスライド式カッターに比べて、第１表示ユニット、第２表示ユニット及び追加マイター角ユニットによってリアルタイムで測定されたベベル角、マイター角及び追加マイター角に応じて作業を行うことにより、誤差なく正確で不良発生が殆どない製品製作が可能となる。
【図面の簡単な説明】
【００１７】
【図１】本発明の一実施形態に係るデジタル角度表示が可能なスライド式カッターの全体的な構成を示す斜視図である。
【図２】図１のＩＩ部分の拡大図であって、（ａ）は本発明の一実施形態に係るデジタル角度表示が可能なスライド式カッターの要部である追加マイター角ユニットのうち基準隔壁から追加マイター角ユニットが引き出される前の状態を、（ｂ）は基準隔壁から一定の角度だけ引き出された状態をそれぞれ示す斜視図である。
【図３】図１の矢印Ｂ方向から見た、本発明の一実施形態に係るデジタル角度表示が可能なスライド式カッターの要部である追加マイター角ユニットの作動過程を示すもので、（ａ）は基準隔壁から引き出される前の状態を、（ｂ）は基準隔壁から一定の角度だけ引き出された状態をそれぞれ示す平断面概念図である。
【発明を実施するための形態】
【００１８】
本発明の利点、特徴、およびそれらを達成する方法は、添付図面と共に詳細に後述されている実施形態を参照すると明確になるだろう。
【００１９】
ところが、本発明は、以下で開示する実施形態に限定されるものではなく、互いに異なる多様な形態で実現される。
【００２０】
本明細書において、本実施形態は、本発明の開示を完全たるものにし、本発明の属する技術分野における通常の知識を有する者に発明の範疇を完全に知らせるために提供されるものである。
【００２１】
そして、本発明は、特許請求の範囲の範疇によって定義されるだけである。
【００２２】
よって、幾つかの実施形態において、公知の構成要素、公知の動作および公知の技術は、本発明が不明瞭に解釈されることを回避するために具体的に説明されない。
【００２３】
また、明細書全体にわたって、同一の参照付号は同一の構成要素を指し、本明細書で使用された（言及された）用語は実施形態を説明するためのもので、本発明を限定するものではない。
【００２４】
本明細書において、単数型は、特に言及しない限り、複数型も含み、「含む（または備える）」で言及された構成要素および動作は少なくとも一つの他の構成要素及び動作の存在または追加を排除しない。
【００２５】
他に定義がなければ、本明細書で使用されるすべての用語（技術及び科学的用語を含む）は、本発明の属する技術分野における通常の知識を有する者に共通に理解できる意味で使用できるであろう。
【００２６】
また、一般に使用される辞書に定義されている用語は、定義されていない限り、理想的または過度に解釈されない。
【００２７】
以下に添付図面を参照しながら、本発明の好適な実施形態について説明する。
【００２８】
図１は本発明の一実施形態に係るデジタル角度表示が可能なスライド式カッターの全体的な構成を示す斜視図である。
【００２９】
図２は図１のＩＩ部分の拡大図であって、図２の（ａ）は本発明の一実施形態に係るデジタル角度表示が可能なスライド式カッターの要部である追加マイター角ユニット６００のうち基準隔壁５１０から追加マイター角ユニット６００が引き出される前の状態を、図２の（ｂ）は基準隔壁から一定の角度だけ引き出された状態をそれぞれ示す斜視図である。
【００３０】
図３は図１の矢印Ｂ方向から見た、本発明の一実施形態に係るデジタル角度表示が可能なスライド式カッターの要部である追加マイター角ユニット６００の作動過程を示すもので、図３の（ａ）は基準隔壁５１０から引き出される前の状態を、図３の（ｂ）は基準隔壁５１０から一定の角度だけ引き出された状態をそれぞれ示す平断面概念図である。
【００３１】
参考まで、図１において、矢印Ａ、Ｂ方向は図面の上、下方向を、矢印Ｃ、Ｄ方向は図面の左、右方向をそれぞれ示す。
【００３２】
本発明は、図示の如く、テーブル３００にカッティングボディ４００と案内ベース５００がそれぞれ回動可能であるが、第１表示ユニット１００、第２表示ユニット２００及び追加マイター角ユニット６００がそれぞれベベル角（ｂｅｖｅｌ  ａｎｇｌｅ）、マイター角（ｍｉｔｅｒ  ａｎｇｌｅ）及び追加マイター角を測定して表示されるようにするものであることを把握することができる。
【００３３】
テーブル３００は、後述するカッティングボディ４００と案内ベース５００などが装着される空間と面積を提供するものである。
【００３４】
カッティングボディ４００は、テーブル３００に回動自在に取り付けられ、駆動力の伝達を受けて回転するカッティングブレード４０１が装着されたもので、被切断物（以下、図示せず）の実質的な切断作業を実行するためのものである。
【００３５】
案内ベース５００は、テーブル３００に回動自在に取り付けられ、カッティングブレード４０１によって切断される被切断物がのせられる面積を提供し、カッティングブレード４０１が収容されるブレード案内溝５０１が設けられたものである。
【００３６】
第１表示ユニット１００は、テーブル３００の一側に備えられ、カッティングボディ４００の回動によるカッティングブレード４０１のベベル角を表示するものである。
【００３７】
第２表示ユニット２００は、テーブル３００の一側に備えられ、案内ベース５００の回動による案内ベース５００のマイター角を表示するものである。
【００３８】
追加マイター角ユニット６００は、テーブル３００にそれぞれ回動しながら収納及び引出可能に設けられ、第２表示ユニット２００に接続され、案内ベース５００によって表示されるマイター角の測定範囲を外れるさらに大きな測定範囲の追加マイター角を第２表示ユニット２００を介して表示されるようにするものである。
【００３９】
したがって、本発明は、ベベル角を正確かつ迅速に把握することができるため、作業の利便性を向上させることができる。
【００４０】
特に、本発明は、作業者が肉眼でベベル角およびマイター角を測定し把握する既存のスライディングカッターに比べて、第１表示ユニット、第２表示ユニット及び追加マイター角ユニットによってリアルタイムで測定されたベベル角、マイター角及び追加マイター角に応じて作業を行うことにより、誤差なく正確で不良発生が殆どない製品製作が可能となる。
【００４１】
本発明は、前述したような実施形態の適用が可能であり、次の様々な実施形態の適用も可能であるのはもちろんである。
【００４２】
カッティングボディ４００には、円板形状のカッティングブレード４０１の中心部に結合される駆動軸を備えた駆動モーター４１０と、カッティングブレード４０１の一側外面を包み込むブレードカバー４２０と、ブレードカバー４２０の外側に回動自在に設けられ、カッティングブレード４０１の未使用時にカッティングブレード４０１の他側外面を包み込む回動カバー４３０とがさらに備えられる。
【００４３】
したがって、カッティングブレード４０１は、ブレード案内溝５０１に収容されて駆動モーター４１０から駆動力の伝達を受け、高速回転しながら被切断物を一定角度だけのベベル角およびマイター角を維持して切断作業を行うことができる。
【００４４】
一方、本発明は、テーブル３００の一側に備えられ、カッティングボディ４００の回動に応じてテーブル３００に対してカッティングブレード４０１のベベル角が形成されるか、或いは案内ベース５００の回動に応じてテーブル３００に対して案内ベース５００のマイター角が形成されるように案内する基準隔壁５１０をさらに含むことができる。
【００４５】
ここで、カッティングボディ４００の一側に備えられたボディ回動軸４０２は基準隔壁５１０の後方に配置され、案内ベース５００の中心に備えられたベース回動軸５０２は基準隔壁５１０の下部に配置され得る。
【００４６】
この時、基準隔壁５１０は、テーブル３００の一側に配置される第１隔壁片５１１と、テーブル３００の一側に第１隔壁片５１１から一直線上に離間して配置される第２隔壁片５１２とを含む。
【００４７】
第１切開部５１１ｄは、第２隔壁片５１２に向かい合う第１隔壁片５１１の一側縁の上部に形成される。
【００４８】
第２切開部５１２ｄは、第１隔壁片５１１に向かい合う第２隔壁片５１２の一側縁の上部に形成される。
【００４９】
第１切開傾斜部５１１ｓは、第１切開部５１１ｄの一側にさらに形成され、第１隔壁片５１１の他側を向いて上方傾斜する。
【００５０】
また、第２切開傾斜部５１２ｓは、第２切開部５１２ｄの一側にさらに形成され、第２隔壁片５１２の他側を向いて上方傾斜する。
【００５１】
ここで、第１切開傾斜部５１１ｓ及び第２切開傾斜部５１２ｓは、カッティングボディ４００の回動範囲の上限または下限を規定するために設けられたもので、カッティングボディ４００が第１切開傾斜部５１１ｓ及び第２切開傾斜部５１２ｓ以上超えて回動することを防止するために設けられたものである。
【００５２】
後述する追加マイター角ユニット６００は、第１隔壁片５１１及び第２隔壁片５１２にそれぞれ形成されるか、或いは第１隔壁片５１１または第２隔壁片５１２にのみ形成されるようにすることもできる。
【００５３】
一方、第１表示ユニット１００は、カッティングボディ４００またはテーブル３００の一側に備えられ、テーブル３００に対するカッティングボディ４００の回動を許容するボディ回動軸４０２に設けられてテーブル３００に対するカッティングボディ４００のベベル角をリアルタイムで測定する第１角度センサー１１０を含む。
【００５４】
第１表示ユニット１００は、テーブル３００の一側に備えられ、第１角度センサー１１０に電気的に接続されたコントローラ７００によって、第１角度センサー１１０で測定されたベベル角をリアルタイムで表示する第１ディスプレイパネル１２０を含む。
【００５５】
また、第１表示ユニット１００は、テーブル３００の一側に備えられてボディ回動軸４０２から離間して配置され、テーブル３００に対するカッティングボディ４００ベベル角を肉眼で確認することができるように第１ルーラー１３１が表示された第１角度パネル１３０をさらに含むことができる。
【００５６】
また、第１表示ユニット１００は、カッティングボディ４００の一側に備えられ、カッティングボディ４００と一体に回動して第１ルーラー１３１中の任意の位置に移動しながらベベル角の肉眼確認が可能な第１表示ピン１４０をさらに含むことができる。
【００５７】
第１角度パネル１３０と第１表示ピン１４０は、第１角度センサー１１０及び第１ディスプレイパネル１２０の故障やバッテリーの放電などにより第１ディスプレイパネル１２０を介してベベル角を把握することが難しい場合に緊急用途に活用することができるだろう。
【００５８】
一方、第２表示ユニット２００は、テーブル３００の一側に備えられ、テーブル３００に対する案内ベース５００の回動を許容するベース回動軸５０２に設けられてテーブル３００に対する案内ベース５００のマイター角をリアルタイムで測定する第２角度センサー２１０を含む。
【００５９】
また、第２表示ユニット２００は、テーブル３００または案内ベース５００の一側に備えられ、第２角度センサー２１０に電気的に接続されたコントローラ７００によって、第２角度センサー２１０で測定されたマイター角をリアルタイムで表示する第２ディスプレイパネル２２０を含む。
【００６０】
第２表示ユニット２００は、テーブル３００の一側に備えられ、ベース回動軸５０２から離間して配置され、テーブル３００に対する案内ベース５００のマイター角を肉眼で確認することができるように第２ルーラー２３１が表示された第２角度パネル２３０をさらに含むことができる。
【００６１】
また、第２表示ユニット２００は、案内ベース５００の一側に備えられ、案内ベース５００と一体に回動して第２ルーラー２３１中の任意の位置に移動しながらマイター角の肉眼確認が可能な第２表示ピン２４０をさらに含むこともできる。
【００６２】
第２角度パネル２３０及び第２表示ピン２４０は、第２角度センサー２１０及び第２ディスプレイパネル２２０の故障やバッテリーの放電などにより第２ディスプレイパネル２２０を介してマイター角を把握することが難しい場合に緊急用途に活用することができるだろう。
【００６３】
一方、追加マイター角ユニット６００は、テーブル３００の一側に備えられ、カッティングボディ４００の回動に応じてテーブル３００に対してカッティングブレード４０１のベベル角が形成されるか、或いは案内ベース５００の回動に応じてテーブル３００に対して案内ベース５００のマイター角が形成されるように案内する基準隔壁５１０に一定の形状に形成された収納スロット６０１を含む。
【００６４】
追加マイター角ユニット６００は、収納スロット６０１に対応する形状に形成されて収納スロット６０１の一側に対して回動自在に配置され、被切断物の一側縁が接触する基準面を提供する基準片６１０を含む。
【００６５】
また、追加マイター角ユニット６００は、基準片６１０の一端部の下側に備えられたメイン回動ブラケットに結合されてテーブル３００に対する基準片６１０の回動を許容する基準片回動軸６１２に形成され、テーブル３００に対する基準片６１０の回動による追加マイター角をリアルタイムで測定する第３角度センサー６２０を含む。
【００６６】
ここで、第３角度センサー６２０は、第２表示ユニット２００の第２ディスプレイパネル２２０にコントローラ７００を介して電気的に接続できるのはもちろんである。
【００６７】
この際、第１、第２角度センサー１１０、２１０は、第３角度センサー６２０と一緒にそれぞれのボディ回動軸４０２、ベース回動軸５０２及び基準片回動軸６１２を基準とした回転程度を測定するもので、偏光子に対する検光子の正、逆回転程度から回転角度を検出する方式を採用し、或いは静電容量式角度センサー（ｅｌｅｃｔｒｏｓｔａｔｉｃ  ａｎｇｌｅ  ｓｅｎｓｏｒ）を採用するなど、様々な角度測定が可能な角度センサーを選択的に装着することができる。
【００６８】
また、追加マイター角ユニット６００は、基準隔壁５１０の後方に配置されて基準隔壁５１０と平行をなす中空の移動案内ブロック６３０をさらに含むことができる。
また、追加マイター角ユニット６００は、移動案内ブロック６３０の前面に一定の長さに形成されて移動案内ブロック６３０の内部と連通する移動案内スロット６４０をさらに含むことができる。
【００６９】
また、追加マイター角ユニット６００は、基準片６１０の後方面の一側に設けられた補助回動ブラケット６５０をさらに含むことができる。
【００７０】
また、追加マイター角ユニット６００は、一端部が補助回動ブラケット６５０に回動自在に結合され且つ他端部が移動案内スロット６４０を介して移動案内ブロック６３０の内部に収容されるリンク片６６０をさらに含むことができる。
【００７１】
また、追加マイター角ユニット６００は、リンク片６６０の他端部に回転可能に結合されて移動案内ブロック６３０の内側面に転がり接触する移動案内ローラー６７０をさらに含むことができる。
【００７２】
また、追加マイター角ユニット６００は、基準片６１０の下部の他側縁から延長されて基準片６１０と直交するように配置される、被切断物を支持する支え片６１４をさらに含むことができる。
【００７３】
また、追加マイター角ユニット６００は、移動案内スロット６４０の形成方向に沿って追加マイター角の肉眼把握ができるように、移動案内ブロック６３０の前面に形成された第３ルーラー６３３をさらに含むこともできる。
【００７４】
また、追加マイター角ユニット６００は、リンク片６６０の上面に一定の長さに形成され、リンク片６６０の回動に応じて第３ルーラー６３３中の任意の位置に移動しながら追加マイター角の肉眼確認が可能な表示ライン６６３をさらに含むこともできる。
【００７５】
第３ルーラー６３３と表示ライン６６３は、第２表示ユニット２００の故障やバッテリーの放電などにより第２表示ユニット２００の第２ディスプレイパネル２２０を介して追加マイター角を把握することが難しい場合に緊急用途に活用することができるだろう。
【００７６】
したがって、作業者は、案内ベース５００によるマイター角の測定範囲を外れる追加マイター角の測定のために、図２の（ａ）および図３の（ａ）の如く収納スロット６０１に折り畳み収納された基準片６１０を、基準片回動軸６１２を基準に、図２の（ｂ）および図３の（ｂ）の如く一定角度だけ回動させて引出させることにより、追加マイター角が第２ディスプレイパネル２２０を介して出力されるようにすることができるだろう。
【００７７】
以上のように、本発明は、ベベル角とマイター角を正確かつ迅速に把握することができ、作業の利便性を提供することができるようにする、デジタル角度表示が可能なスライド式カッターを提供することを基本的な技術的思想としていることが分かる。
【００７８】
そして、本発明の基本的な技術的思想の範疇内において、当該業界における通常の知識を有する者にとっては様々な多くの変形及び応用も可能であるのはもちろんである。
【符号の説明】
【００７９】
１００    第１表示ユニット
１１０    第１角度センサー
１２０    第１ディスプレイパネル
１３０    第１角度パネル
１３１    第１ルーラー
１４０    第１表示ピン
２００    第２表示ユニット
２１０    第２角度センサー
２２０    第２ディスプレイパネル
２３０    第２角度パネル
２３１    第２ルーラー
２４０    第２表示ピン
３００    テーブル
４００    カッティングボディ
４０１    カッティングブレード
４０２    ボディ回動軸
４１０    駆動モーター
４２０    ブレードカバー
４３０    回動カバー
５００    案内ベース
５０１    ブレード案内溝
５０２    ベース回動軸
５１０    基準隔壁
５１１    第１隔壁片
５１１ｄ    第１切開部
５１１ｓ    第１切開傾斜部
５１２    第２隔壁片
５１２ｄ    第２切開部
５１２ｓ    第２切開傾斜部
６００    追加マイター角ユニット
６０１    収納スロット
６１０    基準片
６１２    基準片回動軸
６１４    支え片
６２０    第３角度センサー
６３０    移動案内ブロック
６３３    第３ルーラー
６４０    移動案内スロット
６５０    補助回動ブラケット
６６０    リンク片
６６３    表示ライン
６７０    移動案内ローラー
７００    コントローラ
【図１】
2017192996.tif 000003
【図２】
2017192996.tif 000004
【図３】
2017192996.tif 000005